(57)【要約】  フレキシブルケーブル（Ｆ）のための保持デバイス（１００）であって、フレキシブルケーブル（Ｆ）を収容するように意図された軸状キャビティ（１）を画定する外周壁（２）と、外周壁（２）の両端部に配置され、軸状キャビティ（１）と連通する２つの軸状開口部（１１）と、外周壁（２）に設けられ、軸状キャビティ（１）と連通する少なくとも２つの半径方向開口部（１２、１３）と、外周壁（２）に設けられるスロット（１４）であって、フレキシブルケーブル（Ｆ）が半径方向開口部（１２、１３）およびスロット（１４）にジグザグ形に挿入され得るように、２つの半径方向開口部（１２、１３）の間に配置されたスロット（１４）と、外周壁（２）に配置され、デバイス（１００）を他のデバイス（１００）に固定／解放するための第１固定／解放手段、第２固定／解放手段、および第３固定／解放手段（３）とを備え、これらの固定／解放手段（３）は、デバイス（１００）が、異なる取り付け構造に応じて３つのデバイス（１００）へ固定され得るように、角度方向に間隔が空けられている。
2019535126.tif 000002
【特許請求の範囲】
【請求項１】
長手軸を有する、フレキシブルケーブルのための保持デバイスであって、
前記フレキシブルケーブルを収容するように意図された軸状キャビティを画定する外周壁と、
前記外周壁の両端部に配置され、前記軸状キャビティと連通する２つの軸状開口部と、
前記長手軸と平行に延在する前記外周壁に設けられ、前記軸状キャビティと連通する少なくとも２つの半径方向開口部であって、第１半径方向開口部および少なくとも１つの第２半径方向開口部を有する、少なくとも２つの半径方向開口部と、
前記外周壁に設けられるスロットであって、前記フレキシブルケーブルが前記半径方向開口部および前記スロットにジグザグ形に挿入され得るように、前記２つの軸状開口部の間に延在する連続的な半径方向開口部を有するべく、前記少なくとも２つの半径方向開口部の間に配置され、前記少なくとも２つの半径方向開口部のそれぞれを接続するスロットと、
前記外周壁に配置され、前記保持デバイスを別の保持デバイスと固定／解放するための第１固定／解放手段と
を備え、
保持デバイスが異なる取り付け構造で３つの保持デバイスに固定され得るように、前記保持デバイスは、
前記外周壁の周りの周方向において前記第１固定／解放手段から角度方向の間隔を有するように前記外周壁に配置された第２固定／解放手段と、
前記外周壁の周りの周方向において前記第１固定／解放手段から、および前記第２固定／解放手段から角度方向の間隔を有するように前記外周壁に配置された第３固定／解放手段と
をさらに備え、
前記外周壁は、少なくとも、
ａ）前記長手軸に沿って配置され、前記第１半径方向開口部を画定する中央部分と、
ｂ）それぞれが前記長手軸に沿って前記中央部分の両端部に対して互いに反対側に配置された第１端部部分および第２端部部分であって、それぞれが前記第２半径方向開口部のうちの一方を画定する、第１端部部分および第２端部部分と
を有し、
前記外周壁の前記中央部分並びに前記第１端部部分および前記第２端部部分はＣ字形状の断面を有し、前記中央部分の前記第１半径方向開口部が、前記第１端部部分および前記第２端部部分の前記第２半径方向開口部に対して前記長手軸を中心として１８０度回転されている、保持デバイス。
【請求項２】
前記第１固定／解放手段、前記第２固定／解放手段、および前記第３固定／解放手段のそれぞれは、
雌雄型であり、
前記外周壁から突出する雄型要素と、
前記外周壁に設けられる開口部にある少なくとも１つの雌型要素と
を有し、
前記雌型要素の前記開口部は、前記雄型要素を収容するように意図される、請求項１に記載の保持デバイス。
【請求項３】
前記第１固定／解放手段、前記第２固定／解放手段、および前記第３固定／解放手段のそれぞれの前記雌型要素は、２つの開口部を有し、前記第１固定／解放手段、前記第２固定／解放手段、および前記第３固定／解放手段のそれぞれの前記雄型要素は、前記雌型要素の前記２つの開口部の間に配置される、請求項２に記載の保持デバイス。
【請求項４】
前記第１固定／解放手段、前記第２固定／解放手段、および前記第３固定／解放手段のそれぞれの前記雄型要素は、別の保持デバイスの前記雌型要素の開口部に弾性スナップモードで挿入され得る２つの弾性つまみを有する、請求項２または請求項３に記載の保持デバイス。
【請求項５】
それぞれの雄型要素のそれぞれの弾性つまみは、テーパ形状面を有する保持歯を含む、請求項４に記載の保持デバイス。
【請求項６】
前記外周壁の前記端部部分は可撓性である、請求項１から請求項５のいずれか１項に記載の保持デバイス。
【請求項７】
前記外周壁は、前記外周壁の前記両端部に配置された２つの端部部分を有し、前記中央部分と前記２つの端部部分の少なくとも一方との間に少なくとも１つの中間部分が配置され、前記中央部分と前記中間部分との間、および、前記中間部分と前記端部部分との間にスロットが設けられる、請求項１から請求項６のいずれか１項に記載の保持デバイス。
【請求項８】
前記保持デバイスは、前記中間部分および前記端部部分が、一方が他方に対して回転し、且つ前記中央部分に対して回転するように、前記少なくとも１つの中間部分を前記中央部分および前記端部部分へ接続するヒンジを備える、請求項７に記載の保持デバイス。
【請求項９】
前記第１固定／解放手段、前記第２固定／解放手段、および前記第３固定／解放手段は、前記保持デバイスの前記外周壁の前記中央部分に配置される、請求項１から請求項８のいずれか１項に記載の保持デバイス。
【請求項１０】
前記外周壁は、少なくとも４つの側面を有する断面が多角形の形状を有し、前記第１固定／解放手段、前記第２固定／解放手段、および前記第３固定／解放手段は、それぞれ、前記外周壁の３つの側面に配置される、請求項１から請求項９のいずれか１項に記載の保持デバイス。
【請求項１１】
前記外周壁は、少なくとも４つの長側面および前記長側面を連結する４つの短側面を有する断面が八角形の形状を有し、
前記第１固定／解放手段、前記第２固定／解放手段、および前記第３固定／解放手段は、それぞれ、前記外周壁の３つの長側面に配置される、請求項１０に記載の保持デバイス。
【発明の詳細な説明】
【背景技術】
【０００１】
工業的発明についての本特許出願は、例えば、家庭用電気機器および電子デバイスの電気ケーブルのようなフレキシブルケーブルのための保持デバイスに関する。
【０００２】
知られているように、家庭用電気機器および電子デバイスには、そのデバイスを電気の配電線または別のデバイスへ接続するための電気ケーブルが備えられている。これらの電気ケーブルは、概して長く、扱いにくい。
【０００３】
これらのケーブルの最も典型的で悩ましい欠点は、
−これらのケーブルが絡み合ってもつれが生じかねず、１つのケーブルを識別することを困難にすること、
−これらのケーブルが机の広い部分を占めること、
−複数のケーブルを１つだけしかない口に接続するのが不可能なこと（すなわち、２またはそれより多くのＵＳＢデバイスが、１つだけしかない口に交互に接続されなくてはならないこと）、
−作業スペースをきれいにするために、これらのケーブルが容易に分離または連結され得ないこと
である。
【０００４】
フレキシブルケーブルの保持デバイスが知られているものの、それらのいずれも、前述した問題の全てを同時に解決することができない。これらのデバイスは、ケーブルを曲げて複数の部分にした後でケーブルを収容および保持するように意図されたキャビティを備える。これらのデバイスは、一緒に固定されるための固定手段を有する。しかしながら、これらの固定手段は、デバイスの所定の位置に配置されている。従って、これらのデバイスは融通が利かず、異なる取り付け構造を有することが許されない。
【０００５】
さらに、これらの固定手段は、ケーブルを含むハウジングと干渉する。従って、このハウジングの空間を著しく減少させる。その結果、デバイスの全体積にとって不利益なほどに、ケーブルのハウジングを大きめの寸法にする必要がある。
【０００６】
本発明の目的は、実用的、容易、迅速且つ効果的な様式でフレキシブルケーブルを固定および保持するデバイスを開示することによって、従来技術の欠点を改善することである。
【０００７】
別の目的は、美的観点から心地よく、且つ、サポートに対してフレキシブルケーブルを固定することを可能にするようなデバイスを提供することである。
【発明の概要】
【０００８】
本発明のデバイスは、
−フレキシブルケーブルを収容することが意図された軸状キャビティを画定する外周壁と、
−外周壁の両端部に配置され、軸状キャビティと連通する２つの軸状開口部と、
−外周壁に設けられ、軸状キャビティと連通する少なくとも２つの半径方向開口部であって、反対側の位置に第１半径方向開口部および第２半径方向開口部を有する、２つの半径方向開口部と、
−外周壁に設けられるスロットであって、ケーブルが半径方向開口部およびスロットにジグザグ形に挿入され得るように、２つの半径方向開口部の間に配置されたスロットと、
−外周壁に配置され、このデバイスを同様なデバイスと固定／解放するための第１固定／解放手段と
を備える。
【０００９】
本発明に係るデバイスの特性は、
外周壁に配置され、第１固定／解放手段から角度方向に間隔が空けられた第２固定／解放手段と、
外周壁に配置され、第１固定／解放手段から、および第２固定／解放手段から、角度方向に間隔が空けられた第３固定／解放手段と
もまた備えることにある。
【００１０】
本発明に係るデバイスの利点は明確であり、角度方向に間隔が空けられた３つの固定／解放手段の提供が、このデバイスを、異なる取り付け構造に応じて３つの電子デバイスへ固定することを可能にする。
【図面の簡単な説明】
【００１１】
明確性のため、本発明に係るデバイスの記載は、添付の図面を参照して続けられる。これらの図面は、単に例示的であって、限定的ではない値を有する。
【図１】ケーブルの保持段階にある本発明に係るデバイスの不等角投影図である。
【図２】ケーブルの無い図１のデバイスの不等角投影図である。
【図３】一緒に固定された、本発明に係る６つのデバイスの概略上面図である。
【図４】図２のデバイスの変形例の不等角投影図である。
【図５】図１のデバイスの不等角投影図であり、ここでは、フレキシブルケーブルがデバイスのキャビティに挿入され、Ｓ状に曲げられた構造を有している。
【図６】複数の方向に７つの追加的な固定の可能性を有する、一緒に固定された、本発明に係る５つのデバイスの概略上面図である。
【発明を実施するための形態】
【００１２】
図１を参照すると、概して参照番号１００で示される、本発明に係るデバイスが開示される。
【００１３】
デバイス（１００）は、フレキシブルケーブル（Ｆ）の一部分を収容するように意図されている。
【００１４】
フレキシブルケーブル（Ｆ）は、用途に応じて異なる太さを有し得る。例えば、小さな直径（２．４ｍｍよりも小さいかまたは２．４ｍｍに等しい）を有するフレキシブルケーブル（Ｆ）が、イヤホンまたはバッテリチャージャに使用される。一方、大きな直径（２．４ｍｍより大きい）を有するフレキシブルケーブル（Ｆ）は、電子デバイスまたは家庭用電気機器を接続するために使用される。有利なことに、フレキシブルケーブル（Ｆ）は、ゴム材料から成る外部コーティングを有する。
【００１５】
図２および図３を参照すると、デバイス（１００）は、例えば、八角形のような多角形の断面を有する、細長い多面体形状を有する。あるいは、デバイス（１００）は、矩形、五角形、六角形、または三角形の断面を、もしくは、円形の断面を有する円筒形状を有することができる。
【００１６】
デバイス（１００）は、長手軸（Ｘ）を有する。フレキシブルケーブル（Ｆ）がデバイス（１００）にまっすぐ収容される場合、フレキシブルケーブル（Ｆ）の長手軸は、デバイスの長手軸（Ｘ）と平行である。
【００１７】
デバイス（１００）は、フレキシブルケーブル（Ｆ）を収容するように意図された軸状キャビティ（１）を画定する外周壁（２）を備える。
【００１８】
外周壁（２）は、少なくとも４つの側面（２２）を備える。それぞれの側面（２２）は、約１−２ｍｍの厚さを有する。デバイス（１００）は、外周壁（２）の反対側の両端部に配置され、軸状キャビティ（１）と連通する、２つの軸状開口部（１１）を備える。軸状開口部（１１）は、フレキシブルケーブル（Ｆ）を軸状キャビティ（１）の内側へ挿入するために使用される。
【００１９】
図１および図２を参照すると、デバイス（１００）は、デバイス（１００）の外周壁（２）に設けられ、軸状キャビティ（１）と連通する、少なくとも２つの半径方向開口部（１２、１３）を備える。半径方向開口部（１３）は、フレキシブルケーブルを軸状キャビティ（１）の内側へ挿入するために使用される。これら２つの半径方向開口部（１２、１３）は、直径方向に反対側の位置に配置された、第１半径方向開口部（１２）および第２半径方向開口部（１３）を備える。
【００２０】
２つの半径方向開口部（１２、１３）の間において、スロット（１４）が外周壁（２）に設けられる。上記の点を考慮すると、図５に示されるように、フレキシブルケーブル（Ｆ）は、第１半径方向開口部（１２）に挿入され、次に、第２半径方向開口部（１３）に挿入されるべく、Ｓ字形状の構造に曲がるようにスロット（１４）を通る。
【００２１】
図１、図２、および図３に示されるように、デバイス（１００）は、第１半径方向開口部（１２）を画定する外周壁の中央部分（１０）と、デバイスの一方の端部に配置された、外周壁の少なくとも１つの端部部分（２０）とを備える。外周壁の端部部分（２０）は、第２半径方向開口部（１３）を画定する。好ましくは、端部部分（２０）は、フレキシブルケーブル（Ｆ）を軸状キャビティ（１）に導入するために変形されるように、可撓性である。中央部分（１０）および端部部分（２０）は、Ｃ字形状の断面を有する。
【００２２】
デバイス（１００）は、図２に示されるように、デバイスの両端部に配置された２つの端部部分（２０）を備えることができる。これら２つの端部部分（２０）は、中央部分によって画定される第１半径方向開口部（１２）と反対側の位置に第２半径方向開口部（１３）を画定する。そのような場合、これらの端部部分（２０）と中央部分との間に２つのスロット（１４）が設けられる。そのようにして、フレキシブルケーブル（Ｆ）は、ジグザグ形に半径方向開口部（１２、１３）に挿入され得る。
【００２３】
図４を参照すると、外周壁の１または複数の中間部分（１５）が、中央部分（１０）とそれぞれの端部部分（２０）との間に設けられ得る。中間部分（１５）はＣ字形状の断面を有し、ケーブル（Ｆ）を挿入するための半径方向開口部（１６）を画定する。スロット（１４）が、中央部分と２つの中間部分との間、および、２つの中間部分と端部部分との間に設けられる。ケーブル（Ｆ）は、スロット（１４）をジグザグ形に通る。
【００２４】
中間部分（１５）の半径方向開口部（１６）は、隣接する部分の半径方向開口部に対して反対側の位置に配置される。上記の点を考慮すると、ケーブル（Ｆ）は、半径方向開口部（１２、１３、１６）および外周壁の様々な部分（１０、１５、２０）の間のスロット（１４）を通って、軸状キャビティ（１）の内側でジグザグ軌道に押し込まれる。
【００２５】
外周壁の端部部分（２０）および中間部分（１５）の長さは、中央部分（１０）の長さよりも短い。このように、端部部分（２０）および中間部分（１５）は、フレキシブルケーブル（Ｆ）を挿入するために、容易に弾性的に曲がり得る。
【００２６】
図２および図３を参照すると、デバイス（１００）は、デバイス（１００）を別のデバイス（１００）と固定／解放するためにデバイスの外周壁（２）に配置された固定／解放手段（３）を備える。そうして、フレキシブルケーブル（Ｆ）を整えておくために、複数のデバイス（１００）が一緒に連結され得る。
【００２７】
これらの固定／解放手段（３）は、外周壁（２）において角度方向に間隔が空けられた位置に配置された、第１固定／解放手段、第２固定／解放手段、および第３固定／解放手段を備える。
【００２８】
外周壁が、少なくとも４つの側面（２２）を有する多角形の外周を有する場合、これらの固定／解放手段は、デバイス（１００）の外周壁の３つの側面（２２）に配置される。
【００２９】
第１固定／解放手段のそれぞれ、第２固定／解放手段のそれぞれ、および第３固定／解放手段のそれぞれは、雌雄型のものである。これらの固定／解放手段（３）のそれぞれは、
−外周壁の３つの側面（２２）のうちの１つから突出する雄型要素（３１）、および
−外周壁の３つの側面（２２）のうちの１つに設けられる開口部にある少なくとも１つの雌型要素（３０）
を備える。
【００３０】
雌型要素（３０）のそのような開口部は、雄型要素（３１）を収容するように意図されており、有利なことに、正方形を有する。
【００３１】
デバイス（１００）の外周壁の３つの側面（２２）に配置されたこれらの固定／解放手段（３）が提供されるので、異なる取り付け構造に応じて、複数のデバイス（１００）を一緒に固定することが可能である。言い換えると、１つのデバイス（１００）が、３つのデバイス（１００）に固定され得る。そうして、これらのデバイス（１００）の方向および位置にかかわらず、固定／解放手段（３）によってこれらのデバイス（１００）を一緒に固定することで、同一のフレキシブルケーブル（Ｆ）に沿って複数のデバイス（１００）を配置すること、フレキシブルケーブル（Ｆ）を巻いてフレキシブルケーブル（Ｆ）の重なる部分を容易且つ速やかに固定することが可能である。
【００３２】
有利なことに、雌型要素（３０）は、外周壁の３つの側面（２２）のそれぞれに２つの開口部を備え、雄型要素（３１）は、雌型要素（３０）のこれら２つの開口部の間に配置される。このように、デバイスは、優先的な固定方向を有することなく、１８０度自由に回転され得る。
【００３３】
固定／解放手段（３）の雄型要素（３１）は、別のデバイス（１００）の雌型要素（３０）の開口部に、弾性スナップモードで挿入され得る２つの弾性つまみ（３２）を備える。
【００３４】
図３を参照すると、それぞれの弾性つまみ（３２）は、テーパ形状面（３４）を有する保持歯（３３）を備える。
【００３５】
このように、デバイス（１００）の雄型要素（３１）が別のデバイスの雌型要素（３０）の開口部のうちの１つに挿入される場合、保持歯のテーパ形状面（３４）が、雌型要素（３０）の開口部の境界に接触し、内側に弾性的に曲がる。保持歯（３３）が開口部の境界を超える場合、弾性つまみ（３２）が外側に弾性的にスナップされ、保持歯（３３）が開口部の境界に対して止められ、一緒に固定された状態で２つのデバイスを保持する。
【００３６】
有利なことに、外周壁（２）は、４つの短側面（２３）によって連結された４つの長側面（２２）を有する八角形の外周を画定する。このように、弾性つまみ（３２）が雌型要素（３０）の開口部に挿入される場合、弾性つまみの保持歯（３３）がケーブル（Ｆ）に対して止められ、外周壁の短側面（２３）に向かって弾性的に曲げられる。従って、ケーブル（Ｆ）を収容するために、軸状キャビティ（１）に可能な最大の幅を使用する。
【００３７】
図４を参照すると、デバイス（１００）の中間部分（１５）は、有利なことに、ヒンジ（Ｃ）によって中央部分（１０）にヒンジ連結される。端部部分（２０）は、ヒンジ（Ｃ）によって中間部分（１５）にヒンジ連結される。このように、中間部分（１５）および端部部分（２０）は、一方が他に対して回転することができ、また、中央部分に対して回転することができる。これは、デバイスの軸状キャビティ（１）へのケーブル（Ｆ）の挿入にとって好都合である。
【００３８】
図６は、一緒に固定された５つのデバイス（１００）の構成を示す。このような構成においては、７つの固定／解放手段（３）が、７つの異なる位置（Ｐ１、Ｐ２、Ｐ３、Ｐ４、Ｐ５、Ｐ６、Ｐ７）において連結されていない。
【図１】
2019535126.tif 000003
【図２】
2019535126.tif 000004
【図３】
2019535126.tif 000005
【図４】
2019535126.tif 000006
【図５】
2019535126.tif 000007
【図６】
2019535126.tif 000008
【国際調査報告】
2019535126.tif 000009
2019535126.tif 000010
2019535126.tif 000011